(57)【要約】【課題】構成が簡単で、複数の収納部を有する収納具の提供【解決手段】収納具１は、表面部２と、表面部２に積層された裏面部３と、表面部２と裏面部３との間の収納部６を第１収納部６１と第２収納部６２とへ仕切る仕切り部５と、を備える。仕切り部５は、表面部２に対して内側に折り返された第１，第２仕切り部５ａ，５ｂと、裏面部３に対して内側に折り返された第３，第４仕切り部５ｃ，５ｄを有し、第１仕切り部５ａの上端部が第３仕切り部５ｃの上端部に溶着され、第２仕切り部５ｂの上端部が第４仕切り部５ｄの上端部に溶着されている。【選択図】図２
2015181514.tif 000002
【特許請求の範囲】
【請求項１】
裏面部と、
前記裏面部の下端縁と連続して設けられ、前記裏面部に積層された表面部と、
前記表面部と前記裏面部との間に規定される収納部を第１収納部と第２収納部とへ仕切る仕切り部と、を備え、
前記仕切り部は、前記表面部の一方の側縁と連続して設けられた第１仕切り部と、前記表面部の他方の側縁と連続して設けられた第２仕切り部と、前記裏面部の一方の側縁と連続して設けられた第３仕切り部と、前記裏面部の他方の側縁と連続して設けられた第４仕切り部と、を有し、
前記第１及び第２仕切り部が前記表面部に対して内側に折り返されると共に、前記第３及び第４仕切り部が前記裏面部に対して内側に折り返されることによって、前記第１乃至第４仕切り部が前記表面部と前記裏面部の間に介在し、
前記第１仕切り部の上端部が前記第３仕切り部の上端部に溶着され、
前記第２仕切り部の上端部が前記第４仕切り部の上端部に溶着されていることを特徴とする収納具。
【請求項２】
前記第１仕切り部の上端部のうち、内側部位は前記第３仕切り部の上端部と溶着され、外側部位は前記第３仕切り部の上端部と非溶着とされ、  
前記第２仕切り部の上端部のうち、内側部位は前記第４仕切り部の上端部と溶着され、外側部位は前記第４仕切り部の上端部と非溶着とされていることを特徴とする請求項１に記載の収納具。  
【請求項３】
前記裏面部の上端縁と連続して設けられたカバー部を更に備えることを特徴とする請求項１又は２に記載の収納具。
【請求項４】
前記第１乃至第４仕切り部の下端部にはそれぞれ、収納物を支持するための底部材が設けられていることを特徴とする請求項１〜３の何れかに記載の収納具。
【発明の詳細な説明】
【技術分野】
【０００１】
本発明は、書類やカード等の収納物を分別収納可能な収納具に関する。
【背景技術】
【０００２】
従来より、ドキュメントファイルと呼ばれる収納具が種々提案されている。このようなドキュメントファイルには複数の収納部が設けられており、書類等を分別して収納することができる（例えば、特許文献１参照）。
【先行技術文献】
【特許文献】
【０００３】
【特許文献１】特開平９−２３８７２６号公報
【発明の概要】
【発明が解決しようとする課題】
【０００４】
しかしながら、従来のドキュメントファイルは一般的に形状も製造工程も複雑であり、安価に製造できないという問題があった。
【０００５】
本発明は、構成が簡単で、複数の収納部を有する収納具の提供を目的とする。
【課題を解決するための手段】
【０００６】
請求項１に記載の収納具は、裏面部と、前記裏面部の下端縁と連続して設けられ、前記裏面部に積層された表面部と、前記表面部と前記裏面部との間に規定される収納部を第１収納部と第２収納部とへ仕切る仕切り部と、を備え、前記仕切り部は、前記表面部の一方の側縁と連続して設けられた第１仕切り部と、前記表面部の他方の側縁と連続して設けられた第２仕切り部と、前記裏面部の一方の側縁と連続して設けられた第３仕切り部と、前記裏面部の他方の側縁と連続して設けられた第４仕切り部と、を有し、前記第１及び第２仕切り部が前記表面部に対して内側に折り返されると共に、前記第３及び第４仕切り部が前記裏面部に対して内側に折り返されることによって、前記第１乃至第４仕切り部が前記表面部と前記裏面部の間に介在し、前記第１仕切り部の上端部が前記第３仕切り部の上端部に溶着され、前記第２仕切り部の上端部が前記第４仕切り部の上端部に溶着されていることを特徴とする。
【０００７】
請求項２に記載の収納具は、前記第１仕切り部の上端部のうち、内側部位は前記第３仕切り部の上端部と溶着され、外側部位は前記第３仕切り部の上端部と非溶着とされ、前記第２仕切り部の上端部のうち、内側部位は前記第４仕切り部の上端部と溶着され、外側部位は前記第４仕切り部の上端部と非溶着とされていることを特徴とする。
【０００８】
請求項３に記載の収納具は、前記裏面部の上端縁と連続して設けられたカバー部を更に備えることを特徴とする。
【０００９】
請求項４に記載の収納具は、前記第１乃至第４仕切り部の下端部にはそれぞれ、収納物を支持するための底部材が設けられていることを特徴とする。
【発明の効果】
【００１０】
本発明の請求項１に記載の収納具によれば、第１及び第２仕切り部が表面部に対して内側に折り返され、第３及び第４仕切り部が裏面部に対して内側に折り返され、第１仕切り部の上端部が第３仕切り部の上端部に溶着され、第２仕切り部の上端部が第４仕切り部の上端部に溶着されて形成されるので、表面部と裏面部との間に収納部を規定できるとともに、この収納部を第１乃至第４仕切り部によって第１収納部と第２収納部とへ仕切ることができ、収納物を分別して収納することができる。また、表面部に対して内側に折り返された第１及び第２仕切り部の上端部と、裏面部に対して内側に折り返された第３及び第４仕切り部の上端部とが溶着されただけの極めて簡素な構成を有するため、複雑な製造工程を経ることなく、容易に製造することができる。
【００１１】
本発明の請求項２に記載の収納具によれば、第１仕切り部の上端部のうち、外側部位は第３仕切り部の上端部と非溶着とされ、第２仕切り部の上端部のうち、外側部位は前記第４仕切り部の上端部と非溶着とされているので、収納部の上部開口部を大きく開口させることができ、収納物の出し入れをしやすくできる。
【００１２】
本発明の請求項３に記載の収納具によれば、カバー部を更に備えるので、カバー部を折り返して表面部に被せれば、収納部の上部開口部を覆うことができ、収納物が不用意に落下するのを防止できる。
【００１３】
本発明の請求項４に記載の収納具によれば、第１乃至第４仕切り部の下端部には、それぞれ収納物を支持するための底部材が設けられているので、収納部を開口させた際に第１乃至第４仕切り部が浮き上がるのに合わせて収納物を持ち上げることができ、収納物を取り出しやすくできる。
【図面の簡単な説明】
【００１４】
【図１】本発明の実施形態に係る収納具を示す斜視図。
【図２】図１の収納具のカバー部を開いて開口部を広げた状態を示す斜視図。
【図３】図２のＩＩＩ―ＩＩＩ線断面図。
【図４】図１の収納具の展開図。
【図５】図１の収納部の製造方法を説明する説明図。
【図６】（ａ）は図１に示す収納具の変形例を示す斜視図であり、（ｂ）はその展開図。
【図７】図１に示す収納具の他の変形例を示す斜視図。
【発明を実施するための形態】
【００１５】
以下、添付図面を参照して、本発明の実施形態に係る収納具について説明する。図１〜図４を参照して、本実施形態に係る収納具１は、表面部２と、裏面部３と、カバー部４と、４つの仕切り部５（第１仕切り部５ａ、第２仕切り部５ｂ、第３仕切り部５ｃ、第４仕切り部５ｄ）と、を備える。
【００１６】
表面部２及び裏面部３は矩形状に形成され、表面部２は裏面部３の下端縁と連続して設けられると共に、裏面部３に対して表面側へ折り返されることによって裏面部３に積層されている。カバー部４は、裏面部３の上端縁と連続して設けられ、裏面部３に対して表面側に折り返されることによって、表面部２に被せられる。
【００１７】
第１仕切り部５ａは表面部２の一方の側縁（左側側縁）と連続して設けられ、第２仕切り部５ｂは表面部２の他方の側縁（右側側縁）と連続して設けられ、第３仕切り部５ｃは裏面部３の一方の側縁（左側側縁）と連続して設けられ、第４仕切り部５ｄは裏面部３の他方の側縁（右側側縁）と連続して設けられている。そして、第１及び第２仕切り部５ａ，５ｂは表面部２に対して内側に折り返されると共に、第３及び第４仕切り部５ｃ，５ｄは裏面部３に対して内側に折り返され、これにより第１乃至第４仕切り部５ａ〜５ｄが表面部２と裏面部３の間に介在している。
【００１８】
また、第１仕切り部５ａの上端部と第３仕切り部５ｃの上端部とは、その内側領域Ｒ１（図２における右側領域、収納具１の左右方向中央寄り部位）において溶着され、その外側領域（図２における左側領域、収納具１の側方部位）は非溶着とされている。同様に、第２仕切り部５ｂの上端部と第４仕切り部５ｄの上端部とは、その内側領域Ｒ２（図２における左側領域、収納具１の左右方向中央寄り部位）において溶着され、その外側領域（（図２における右側領域、収納具１の側方部位）は非溶着とされている。
【００１９】
ここで、第１仕切り部５ａと第３仕切り部５ｃとは、上述のように溶着されて左側仕切り部５Ｌを形成し、第２仕切り部５ｂと第４仕切り部５ｄとは、上述のように溶着されて右側仕切り部５Ｒを形成している。
【００２０】
かかる構成により、収納具１には、表面部２と裏面部３と仕切り部５とによって収納部６が規定され、更にこの収納部６は仕切り部５によって表面側の第１収納部６１と裏面側の第２収納部６２に仕切られている。よって、使用者は、書類などの収納物を第１収納部６１と第２収納部６２とに分別して収納することができる。
【００２１】
また、左側仕切り部５Ｌ（第１仕切り部５ａと第３仕切り部５ｃ）及び右側仕切り部５Ｒ（第２仕切り部５ｂと第４仕切り部５ｄ）は、これらの上端部のうち内側領域Ｒ１，Ｒ２のみが溶着され、その外側領域は非溶着とされているので、第１収納部６１及び第２収納部６２の上側開口部を大きく開口させることができ、収納物の出し入れを容易に行うことができる。すなわち、収容部６を閉じた状態では、左側仕切り部５Ｌ及び右側仕切り部５Ｒは、全体が第１収納部６１と第２収納部２の間に位置する仕切り材として機能する一方、収容部６を開口した状態では、左側仕切り部５Ｌと右側仕切り部５Ｒはそれぞれ、図３に示すように横断面が略Ｙ字型となるように展開し、各仕切り部５の外方領域が三角形状を有するマチ部として機能するので、左側仕切り部５Ｌ及び右側仕切り部５Ｒの上端部をその全域に亘って溶着した場合と比較して、第１収納部６１及び第２収納部６２の上側開口部を大きく開口させることができる。換言すると、第１収納部６１及び第２収納部６２はマチ付きポケットを構成する。
【００２２】
更に、仕切り部５は、左側仕切り部５Ｌと右側仕切り部５Ｒとに左右に分割されて設けられているので、第１収納部６１及び第２収納部６２の上側開口部を更に大きく開口させることができる。  
【００２３】
次に、収納具１の製造方法について説明する。収納具１は、例えば透明性又は半透明性を有する樹脂シートを図４に示す所定形状に型抜きして得られたシート部材７を、所要の通りに折り畳むと共に所定箇所にて溶着させることで製造される。本実施形態においては、表面部２、裏面部３、及び仕切り部５は全て同一の長さ（図４における縦方向長さ）を有し、仕切り部５の幅寸法は表面部２及び裏面部３の幅寸法の半分とされている。また、第１仕切り部５ａと第３仕切り部５ｃの間には切り込み線Ｃ１が、第２仕切り部５ｂと第４仕切り部５ｄとの間には切り込み線Ｃ２が形成されている。
【００２４】
このようなシート部材７から収納具１を作成するには、まず、図５（ａ）及び図５（ｂ）を参照して、第１仕切り部５ａ及び第２仕切り部５ｂをそれぞれ谷折り線Ｌ１，Ｌ２に沿って斜め下方へ折り畳むと共に、第３仕切り部５ｃ及び第４仕切り部５ｄをそれぞれ谷折り線Ｌ３，Ｌ４に沿って斜め上方へ折り畳む。ここで、谷折り線Ｌ１は、点Ｐ１と点Ｐ２を通る直線として規定される。点Ｐ１は、表面部２と裏面部３との境界線Ｂ１と、表面部２と第１仕切り部５ａとの境界線Ｂ２との交点である。また、点Ｐ２は、シート部材７の下端のうち、第１仕切り部５ａの幅方向略中央部位をいう。谷折り線Ｌ２，Ｌ３，Ｌ４についても谷折り線Ｌ１に倣って規定される。
【００２５】
次に、図５（ｂ）及び図５（ｃ）を参照して、シート部材７を谷折り線Ｌ５（境界線Ｂ１）に沿って折り畳み、第１仕切り部５ａの上端部と第３仕切り部５ｃの上端部とを領域Ｒ１にて溶着させて左側仕切り部５Ｌを形成すると共に、第２仕切り部５ｂの上端部と第４仕切り部５ｄの上端部とを領域Ｒ２にて溶着させて右側仕切り部５Ｒを形成する。その後、左側仕切り部５Ｌ及び右側仕切り部５Ｒを内側に引き込むことで、図５（ｄ）及び図２に示す収納具１が完成する。
【００２６】
このように、本実施形態の収納具１は、１枚のシート部材７を所要の通りに折り畳み、領域Ｒ１及びＲ２の２箇所のみを溶着させるだけで、極めて容易に製造できる。また、領域Ｒ１及びＲ２における溶着もシート部材７を平坦な状態に折り畳んだまま行え、シート部材７を立体状に維持しておく必要がないので、溶着作業を極めて簡単に行うことができる。
【００２７】
以上、本発明の実施形態に係る収納具１について添付の図面を参照して説明したが、本発明はかかる実施形態に限定されず、本発明の範囲を逸脱することなく種々の変形乃至修正が可能である。
【００２８】
例えば、カバー部４を表面部２に係止するために、ボタン、差し込み式止め具、面ファスナーなどの止め具を設けてもよい。
【００２９】
また、上記実施形態では、図４に示すように、シート部材７に切り込み線Ｃ１及びＣ２を設けたが、切り込み線Ｃ１及びＣ２は必ずしも設ける必要はない。切り込み線Ｃ１及びＣ２を設けなくても、シート部材７を図５（ｃ）の状態に折り畳むことは可能であり、この場合であっても上述したのと同様に収納具１を形成できる。
【００３０】
また、図６（ａ）に示す収納具１０１のように、底面部１０及び上面部１１を有する構成としてもよい。このような収納具１０１は、例えば図６（ｂ）に示すシート部材１０７を用いて作成できる。シート部材１０７においては、表面部２、裏面部３、及びカバー部４にマチ領域２ａ，３ａ，４ａがそれぞれ設けられると共に、第１仕切り部５ａと第３仕切り部５ｃとの間、及び第２仕切り部５ｂと第４仕切り部５ｄの間に、底面部１０の幅（マチ領域２ａとマチ領域３ａとを合わせた幅）に対応した隙間が設けられている。このように構成されたシート部材１０７を組み立てると、マチ領域２ａ、３ａが底面部１０を構成し、マチ領域４ａが上面部１１を構成することとなり、収納具１０１の収納量を増やすことができる。
【００３１】
なお、図６（ｂ）に示すシート部材１０７から図６（ａ）に示す収納具１０１を作成する際には、第１仕切り部５ａ及び第２仕切り部５ｂをそれぞれ谷折り線Ｌ１０１，Ｌ１０２に沿って斜め下方へ折り畳むと共に、第３仕切り部５ｃ及び第４仕切り部５ｄをそれぞれ谷折り線Ｌ１０３，Ｌ１０４に沿って斜め上方へ折り畳むようにする。谷折り線Ｌ１０１は、点Ｐ１０１と点Ｐ２を通る直線として規定され、点Ｐ１０１は、表面部２のマチ領域２ａと本体領域２ｂとの境界線Ｂ３と、表面部２と第１仕切り部５ａとの境界線Ｂ２との交点とすればよい。谷折り線Ｌ１０２，Ｌ１０３，Ｌ１０４についても谷折り線Ｌ１０１に倣って規定すればよい。
【００３２】
更に、上記実施形態に係る収納具１は、図２に示すように収納部６を大きく開口させると、各仕切り部５の下端が上方に浮くようになる。そこで、各仕切り部５の下端部に図７に示すような底部材９を取り付けてポケット部を形成し、このようなポケット部に収納物の下端部を差し込んで収納させるようにしてもよい。このような構成とすることで、収納部６を開口させると、収納物が仕切り部５と共に上方に持ち上げられ、収納物をより取り出しやすくできる。この場合には、例えば、底部材９を仕切り部５の下縁部及び外側側縁部に沿う領域Ｒ３及び領域Ｒ４にて仕切り部５に溶着させることでポケット部を構成させればよい。なお、図７に示す例では底部材９を平面視略Ｌ字状に形成したが、側部材９の形状はこれに限定されない。
【産業上の利用可能性】
【００３３】
本発明の実施形態にかかる収納具は、例えばＡ４サイズやＢ５サイズのドキュメントファイルとして利用可能である他、用途に合わせて種々のサイズとすることができる。例えば、名刺サイズとすることで名刺入れに、Ｌサイズとすることで写真入れに、葉書サイズとすることで葉書入れ、カードケース、通帳ケース、証書等の収納ケースにもできる。また、カバー部４を開けた状態でウォールポケットとして利用することができる。更に、裏面部３の背面にマグネットを設け、冷蔵庫等に貼り付け可能に構成することもできる。
【符号の説明】
【００３４】
１  収納具
２  表面部
３  裏面部
４  カバー部
５  仕切り部
５ａ  第１仕切り部
５ｂ  第２仕切り部
５ｃ  第３仕切り部
５ｄ  第４仕切り部
６  収納部
６１  第１収納部
６２  第２収納部  
【図１】
2015181514.tif 000003
【図２】
2015181514.tif 000004
【図３】
2015181514.tif 000005
【図４】
2015181514.tif 000006
【図５】
2015181514.tif 000007
【図６】
2015181514.tif 000008
【図７】
2015181514.tif 000009